(57)【要約】【課題】  ハウジング内からビス止めしてもハウジング本体に変形を生じることがない天井埋込型照明器具を提供する。【解決手段】  反射板や蛍光ランプ４０等が支持されたハウジング１２を備えた天井埋込型照明器１０において、ハウジング１２の側壁部には適所に複数個の係止具１４が設けられ、ハウジングの側壁部には、その側壁部を開口２０ａの内面に止着するための木ビスを挿通させる木ビス用穴１８が形成され、さらにその木ビス用穴１８の周囲に略Ｕ字状の抜き穴１９が形成され、この抜き穴１９によって木ビス用穴１８の周囲の側壁部１２ａが外方に撓み可能になっている。【選択図】      図２
2005108447.tif 000002
【特許請求の範囲】
【請求項１】
天井に形成された開口に反射板やランプ等が支持されたハウジングが嵌め込まれて、上記開口の開口内縁に取付けられた補強部材の上面に、ハウジングの係止具が係止されるとともに、ハウジングの側壁部が木ビスで補強部材の内面に止着されるようになった天井埋込型照明器具であって、
上記ハウジングの側壁部に形成された木ビス用穴の周囲に略Ｕ字状の抜き穴が形成され、この抜き穴によって木ビス用穴の周囲の側壁部が外方に撓み可能になっていることを特徴とする天井埋込型照明器具。
【発明の詳細な説明】
【技術分野】
【０００１】
本発明は、天井埋込型照明器具に関するものである。
【背景技術】
【０００２】
従来、天井に形成された開口部に天井埋込型照明器具を取付ける場合には、図５に示すように、内縁を補強部材２４で補強した天井２０の開口２０ａに天井埋込型照明器具１０のハウジング１２を嵌め込み、その補強部材２４の上面にハウジング１２の係止具１４を係止している。（例えば、特許文献１参照）
また、ハウジング１２の係止を確実にするために、ハウジング１２内から木ビス３０でハウジング１２の側壁部を補強部材２４の内面に止着している。
【特許文献１】特開２００２−１５７９０２号公報
【発明の開示】
【発明が解決しようとする課題】
【０００３】
しかしながら、開口２０ａの内面とハウジング１２の側壁部との間にはハウジング１２を挿入するための隙間が必要であるため、ハウジング１２内から天井２０と平行な方向で木ビス３０を締め込むと、ハウジング１２が開口２０ａの一辺側に寄ってしまい開口２０ａの中央に収まらない場合や、木ビス３０の締め過ぎによりハウジング１２が変形してしまうことがあった。
【０００４】
本発明は、このような事情に鑑み、天井埋込型照明器具を天井に取付ける際に、ハウジング内からビス止めしてハウジングの側壁部を開口の内面に止着しても、ハウジング本体が片寄ったり、変形を生じることがない天井埋込型照明器具を提供することを目的とする。
【課題を解決するための手段】
【０００５】
請求項１に係る発明は、天井に形成された開口に反射板やランプ等が支持されたハウジングが嵌め込まれて、上記開口の開口内縁に取付けられた補強部材の上面に、ハウジングの係止具が係止されるとともに、ハウジングの側壁部が木ビスで補強部材の内面に止着されるようになった天井埋込型照明器具であって、上記ハウジングの側壁部に形成された木ビス用穴の周囲に略Ｕ字状の抜き穴が形成され、この抜き穴によって木ビス用穴の周囲の側壁部が外方に撓み可能になっているものである。
【発明の効果】
【０００６】
請求項１に係る発明によれば、ハウジングの側壁部に形成された木ビス用穴の周囲に略Ｕ字状の抜き穴が形成され、この抜き穴によって木ビス用穴の周囲の側壁部が外方に撓み可能になっていることによって、ハウジングの側壁部と開口の内面との間に隙間がある場合に、ハウジングの木ビス用穴から木ビスを開口の内縁に取付けられている補強部材の内面に締め込んでも、この木ビス用穴の周囲の側壁部のみが外方に撓んで上記補強部材の内面に止着されるため、ハウジング本体を変形させることがない。よって、外観的にも見栄えが良く、確実に天井埋込型照明器具を天井に取付けることができる。
【０００７】
また、このようなビス止め箇所をハウジングの周囲に複数設けることによって、ハウジングの側壁部と開口の内面との隙間を周囲で均等になるよう調整することができ、天井埋込型照明器具のハウジングを開口の中央に取付けることができ、この点からも見栄えが良くなる。
【発明を実施するための最良の形態】
【０００８】
本発明の実施の形態を図面に基づいて説明する。
【０００９】
本発明の天井埋込型照明器具の一例を図１〜３に示す。図１はこの天井埋込型照明器具の平面図、図２は要部断面正面図、図３は要部断面側面図である。
【００１０】
上記天井埋込型照明器具１０は、有頂正四角筒状のハウジング１２を備え、このハウジング１２の内部には２つのリング状の蛍光ランプ４０が支持されて、このハウジング１２の下面開口には枠体１６が取付けられている。
【００１１】
天井２０には、この天井埋込型照明器具１０のハウジング１２を嵌め込むための開口２０ａが形成されており、その開口２０ａの内縁は補強部材２４で補強されている。
【００１２】
上記ハウジング１２の外周の適所には複数個の抜け止め用係止具１４が設けられ、天井２０に形成された開口２０ａにハウジング１２を嵌め込んだときに、上記枠体１６が天井２０の下面に当てがわれるとともに、上記抜け止め具１４で上記補強部材２４の上面を係止することにより、ハウジング１２が天井２０に固定されるようになっている。
【００１３】
さらにハウジング１２を天井２０に確実に固定するために、ハウジング１２の側壁部を木ビス３０で補強部材２４の内面に止着する必要がある。そのため、ハウジング１２の側壁部には上記木ビス３０を挿通させるための木ビス用穴１８が形成されている。この木ビス用穴１８が形成される位置は、図２に示すように、係止具１４が設けられている側壁部であって、かつその係止具１４の近傍であるのが好ましい。
【００１４】
そして、上記木ビス用穴１８の周囲には略Ｕ字状の抜き穴１９が形成され、この抜き穴１９によって木ビス用穴１８の周囲の側壁部１２ａがハウジング１２の外方に撓み可能になっている。
【００１５】
このように、木ビス用穴１８の周囲の側壁部１２ａがハウジング１２の外方に撓み可能になる抜き穴１９を形成することによって、図４に示すように、ハウジング１２の側壁部と補強部材２４の内面との間に隙間がある場合に、ハウジング１２の木ビス用穴１８から木ビス３０を補強部材２４の内面に締め込んでも、この木ビス用穴１８の周囲の側壁部１２ａのみが外方に撓んで上記補強部材２４の内面に止着されるため、ハウジング１２本体を変形させることがない。
【００１６】
また、このようなビス止め箇所をハウジング１２の周囲に複数設けることによって、ハウジング１２の側壁部と補強部材２４の内面との隙間を周囲で均等になるよう調整することができ、天井埋込型照明器具１０のハウジング１２を開口２０ａの中央に取付けることができる。
【００１７】
本実施例では、天井埋込型照明器具１０のハウジング１２を正四角筒状の形状としたが、必ずしも正四角筒状である必要はなく、正四角形以外の多角形または円形の筒状であってもよい。
【図面の簡単な説明】
【００１８】
【図１】本発明の天井埋込型照明器具の一例を示す平面図である。
【図２】本発明の上記天井埋込型照明器具の要部断面正面図である。
【図３】本発明の上記天井埋込型照明器具の要部断面側面図である。
【図４】本発明の上記天井埋込型照明器具の拡大断面図である。
【図５】従来の上記天井埋込型照明器具の拡大断面図である。
【符号の説明】
【００１９】
１０    天井埋込型照明器具
１２    ハウジング
１２ａ  木ビス用穴の周辺の側壁部
１４    係止具
１６    枠体
１８    木ビス用穴
１９    抜き穴
２０    天井
２０ａ  開口
２４    補強部材
３０    木ビス
４０    蛍光ランプ
【図１】
2005108447.tif 000003
【図２】
2005108447.tif 000004
【図３】
2005108447.tif 000005
【図４】
2005108447.tif 000006
【図５】
2005108447.tif 000007